(57)【特許請求の範囲】
【請求項１】
ケースが装着されるケース装着機器であって、
上部にケースが載置され、略中央部から外側に向かう方向に形成されたケース押圧部移動孔を有するケース載置部と、
該ケース載置部の周側に複数個設けられ、内外側方向に移動されることにより、該ケース載置部に載置されたケースが側面から押圧されるケース押圧部と、
バンドが取り付けられるバンド取付部と、を有し、
前記ケース押圧部は、
前記ケース載置部と略平行に形成された平行部から外側が内向き円弧状に延びた形状で、該平行部に内面にねじ山が螺刻されたケース押圧部固定孔を有するケース押圧板と、
前記ケース載置部のケース押圧部移動孔を介して、前記ケース押圧板の前記ケース押圧部固定孔と螺合されるケース押圧板固定螺子と、を有し、
前記ケース押圧部は、前記ケース押圧板のケース押圧部固定孔と螺合されている前記ケース押圧板固定螺子を緩めて、前記ケース押圧部移動孔に沿って移動させた後、前記ケース押圧板固定螺子を締めることにより、各種の大きさのケースを前記ケース載置部に固定させることができることを特徴とするケース装着機器。
【請求項２】
前記ケース載置部に載置されるケースは、懐中時計であることを特徴とする請求項１記載のケース装着機器。
【請求項３】
前記ケース押圧部は、前記ケース押圧板の先端部をケース載置部に載置されたケースの側面最外側部に略直行した力が作用するようにして接触させることにより、前記ケース載置部に載置されたケースが押圧されることを特徴とする請求項１または請求項２に記載のケース装着機器。
【請求項４】
前記ケース押圧部は、前記ケース載置部の周側に略９０度間隔毎に４個配置されていることを特徴とする請求項１〜請求項３のいずれか１項に記載のケース装着機器。
【請求項５】
前記バンド取付部に取り付けられたバンドを有する請求項１〜請求項４のいずれか１項に記載のケース装着機器が装着された腕時計。
【発明の詳細な説明】
【技術分野】
【０００１】
本発明は、ケースが装着されるケース装着機器およびそれが装着された腕時計に関するものである。
【背景技術】
【０００２】
従来より、ケースが装着された腕時計が知られている。
【０００３】
この種の腕時計は、図１１に示すように、ケース１０３のかんの穴３１１と腕バンド１０１のバネ棒保持穴１１１にバネ棒１０２を挿通させて、ケース１０３と腕バンド１０１とを結合させるものがあった（たとえば、特許文献１）。ここで、図１１は、従来の腕時計の分解斜視図である。
【先行技術文献】
【特許文献】
【０００４】
【特許文献１】実願昭５５−７４４６８号（実開昭５６−１７４５１８号）のマイクロフィルム
【発明の概要】
【発明が解決しようとする課題】
【０００５】
しかしながら、従来の腕時計では、かんが形成されていないケースには腕バンドと取り付けることができず、そのケースを腕時計として使用することができないという問題があった。
【０００６】
本発明は上記問題点に鑑みてなされたもので、かんが形成されていないケースでも腕時計として使用できるとともに、各種の大きさのケースであっても腕時計として使用できるケース装着機器およびそれが装着された腕時計を提供することを目的とする。
【課題を解決するための手段】
【０００７】
上記課題を解決し上記目的を達成するために、本発明のうち第１の態様に係るものは、ケースが装着されるケース装着機器であって、上部にケースが載置され、略中央部から外側に向かう方向に形成されたケース押圧部移動孔を有するケース載置部と、ケース載置部の周側に複数個設けられ、内外側方向に移動されることにより、ケース載置部に載置されたケースが側面から押圧されるケース押圧部と、バンドが取り付けられるバンド取付部と、を有し、ケース押圧部は、ケース載置部と略平行に形成された平行部から外側が内向き円弧状に延びた形状で、平行部に内面にねじ山が螺刻されたケース押圧部固定孔を有するケース押圧板と、ケース載置部のケース押圧部移動孔を介して、ケース押圧板のケース押圧部固定孔と螺合されるケース押圧板固定螺子と、を有し、ケース押圧部は、ケース押圧板のケース押圧部固定孔と螺合されているケース押圧板固定螺子を緩めて、ケース押圧部移動孔に沿って移動させた後、ケース押圧板固定螺子を締めることにより、各種の大きさのケースをケース載置部に固定させることができることを特徴とするものである。
【０００８】
本発明によれば、ケース載置部に載置されたケースが側面から押圧されるケース押圧部を設けているので、かんが形成されていないケースであっても、ケース押圧部によりケース載置部上にケースを固定させるとともに、バンド取付部にバンドを取り付けることにより、腕時計として使用することができる。また、ケース押圧部は内外側方向に移動させることができるので、ケース押圧部を内外側方向に移動させ、ケース載置部に載置されたケースが側面から押圧されることにより、各種の大きさの異なるケースであっても、ケース押圧部によりケース載置部上にケースを固定させることができる。具体的には、ケース押圧板のケース押圧部固定孔と螺合されているケース押圧板固定螺子を緩めて、ケース押圧部移動孔に沿って移動させた後、ケース押圧板固定螺子を締めることにより、ケース押圧板が内外側方向に移動されるので、ケース押圧部を内外側方向に容易に移動させることができる。
【０００９】
本発明のうち第２の態様に係るものは、第１の態様に係るケース装着機器であって、ケース載置部に載置されるケースは、懐中時計であることを特徴とするものである。
【００１０】
本発明によれば、懐中時計はケースにかんが形成されていないケースあるが、その懐中時計であっても、ケース押圧部によりケース載置部上に懐中時計を固定させるとともに、バンド取付部にバンドを取り付けることにより、腕時計として使用することができる。また、懐中時計は大きさの異なる各種の懐中時計が存在するが、このような大きさの異なる懐中時計であっても、ケース押圧部を内外側方向に移動させて、ケース載置部に載置された懐中時計が側面から押圧されることにより、ケース載置部上に懐中時計を固定させることができる。
【００１３】
本発明のうち第３の態様に係るものは、第１の態様または第２の態様のケース装着機器であって、ケース押圧部は、ケース押圧板の先端部をケース載置部に載置されたケースの側面最外側部に略直行した力が作用するようにして接触させることにより、ケース載置部に載置されたケースが押圧されることを特徴とするものである。
【００１４】
本発明によれば、ケース押圧板の先端部がケースの側面最外側部に略直行した力が作用するようにして接触させているので、ケース押圧板の押圧力がケースに効率よく伝わり、ケース載置部上のケースを安定して固定させることができる。
【００１５】
本発明のうち第４の態様に係るものは、第１の態様〜第３の態様のいずれか１つの態様に係るケース装着機器であって、ケース押圧部は、ケース載置部の周側に略９０度間隔毎に４個設けられていることを特徴とするものである。
【００１６】
本発明によれば、ケース載置部の周側に略９０度間隔毎にケース押圧部が４個設けられているので、ケースをケース載置部に安定して固定させることができるとともに、ケース載置部にケースを簡易に取り付けることができる。
【００１７】
本発明のうち第５の態様に係るものは、第１の態様〜第４の態様のいずれか１つの態様に係るケース装着機器が装着された腕時計であって、バンド取付部に取り付けられたバンドを有するものである。
【発明の効果】
【００１８】
本発明のケース装着機器およびそれが装着された腕時計によれば、かんが形成されていないケースでも腕時計として使用できるとともに、各種の大きさのケースであっても腕時計として使用できる。
【図面の簡単な説明】
【００１９】
【図１】本発明の一実施形態における腕時計の表面斜視図である。
【図２】同腕時計の裏面斜視図である。
【図３】同腕時計の懐中時計を取り外した表面斜視図である。
【図４】同腕時計の分解図である。
【図５】（ａ）同腕時計のケース押圧板の斜視図である。  （ｂ）同腕時計のケース押圧板の上面図である。  （ｃ）同腕時計のケース押圧板の側面図である。
【図６】同腕時計のケース押圧板固定螺子を緩めている状態を示す図である。
【図７】同腕時計のケース載置部から懐中時計を取り外している状態を示す図である。
【図８】同腕時計のケース押圧板をケース押圧部移動孔に沿って内側方向に移動させている状態を示す図である。
【図９】同腕時計のケース載置部に懐中時計を取り付けた状態を示す図である。
【図１０】図３のＡ−Ａ断面図である。
【図１１】従来の腕時計の分解斜視図である。
【発明を実施するための形態】
【００２０】
以下、本発明の腕時計の一実施形態について図面を参照にしながら説明する。図１は本発明の一実施形態における腕時計の表面斜視図であり、図２は同腕時計の裏面斜視図であり、図３は同腕時計の懐中時計を取り外した表面斜視図であり、図４は同腕時計の分解図である。
【００２１】
図１に示すように、腕時計１は、ケース装着機器２と、懐中時計３と、バンド４を有している。
【００２２】
ケース装着機器２は、懐中時計３を装着するもので、ケース載置部５と、ケース押圧部６（図４参照）と、バンド取付部７（図４参照）とを有している。なお、本実施形態では、ケースとして懐中時計６を用いるが、これに限らず、懐中時計６以外の他のケースを用いてもよい。このことから、懐中時計３以外の他の構成要素の名称の一部に「ケース」の文字を用いて説明する。
【００２３】
ケース載置部５は、上部に懐中時計６が載置されるものである。具体的には、ケース載置部５は、懐中時計６の底面の面一形状の面より少し大きめの円形形状で形成され、ケース載置部５の中央部に円形形状の中央部孔８が形成されているとともに、中央部から外側に向かう方向に楕円形状のケース押圧部移動孔９が形成されている。なお、本実施形態では、ケース載置部５を懐中時計６の底面の面一形状の面より少し大きめの円形形状で形成させたが、これに限らず、懐中時計６の面一形状の底面と略同一形状で形成させてもよい。また、本実施形態では、ケース押圧部移動孔を中央部から外側方向に向かうように設けたが、これに限らず、略中央部から外側方向に向かうように設けてもよい。
【００２４】
ケース押圧部６は、ケース載置部５に載置された懐中時計６を側面から押圧させるもので、ケース押圧板１０と、ケース押圧板固定螺子１１とを有している。ケース押圧部６は、ケース載置部５の周側に９０度間隔毎に４個設けられている。なお、本実施形態では、ケース押圧部６をケース載置部５の周側に９０度間隔毎に４個設けたが、これに限らず、２個以上の複数個（例えば、４個以上、４個〜８個など）設けてもよく、また、９０度間隔以外の間隔を空けて設けるようにしてもよい。
【００２５】
ケース押圧板１０は、ケース載置部５と平行に形成され、内面にねじ山が螺刻されたケース押圧部固定孔１２を有する平行部１３と、その平行部１３と連続して結合し、平面部８から外側が内向き円弧状に延びた形状の円弧状部１４から構成されている（図５参照）。すなわち、ケース押圧板１０は、ケース載置部５と平行に形成された平行部１３から外側が内側向き円弧状に延びた形状で、平行部１３に内面にねじ山が螺刻されたケース押圧部固定孔１２が形成されている。平行部１３は、横最大長さが９．５５ｍｍ、縦長さが６．０ｍｍ、高さが１.７ｍｍで、先端から３．７ｍｍの位置には直径２．６ｍｍのケース押圧部固定孔１２が形成されている。また、円弧状部１４は、内面が半径４．５ｍｍ、中心角が１３５度で、内外面間（高さ）が１．３ｍｍの円弧形状で形成されているとともに、先端部平面が平行部１３の上面と平行に形成されている。ここで、図５（ａ）は本発明の一実施形態における腕時計のケース押圧板の斜視図であり、図５（ｂ）は同腕時計のケース押圧板の上面図であり、図５（ｃ）は同腕時計のケース押圧板の側面図である。なお、本実施形態では、平行部１３をケース載置部５と平行に形成させたが、これに限らず、ケース載置部５と略平行に形成させるようにしてもよい。
【００２６】
ケース押圧板固定螺子１１は、ケース押圧板１０のケース押圧部固定孔１２と螺合されるボルトである。ケース押圧板固定螺子１１は、底面側からケース載置部５に形成されたケース押圧部移動孔９を介して、ケース押圧板１０のケース押圧部固定孔１２に挿入され、そして、ケース押圧板固定螺子１１を回転させることによりケース押圧部固定孔１２内面のねじ山と螺合される。また、ケース載置部５のケース押圧部移動孔９の裏面を内部から外側に向けて幅広形状して傾斜を設けて形成されているので、ケース押圧部固定孔１２にケース押圧板固定螺子１１が締め付けられた状態では、ケース載置部５の裏面とケース押圧板固定螺子１１の頭部が面一になっている（図２参照）。
【００２７】
このように、ケース押圧部６は、ケース押圧板固定螺子１１をケース押圧板１０と結合させた状態で、ケース押圧板固定螺子１１をケース押圧部移動孔９に沿って移動させることにより、内外側方向に移動させることができる。
【００２８】
バンド取付部７は、バンド４を取り付ける部分で、バンド取付穴１５と、ばね棒１６を有している（図４参照）。ここで、バンド４は、人工皮革を材質として形成されている。バンド取付穴１５は、ケース載置部５に載置された懐中時計３の文字板の中心から見て６時側の側面および１２時側の側面にそれぞれ形成された一対のかん突起部１７ａ，１７ｂ（かん足）に設けられている。また、ばね棒１６は、両端部が絞られた管１８に、２個の段付きピン１９およびコイルスプリング（図示略）が収容されて形成されている（図４参照）。そして、管１８の端部から突出している段付きピン１９の小径軸部（図示略）を一対のかん突起部１７ａ，１７ｂ（かん足）に形成されたバンド取付穴１５に挿入させることにより、かん（かん突起部１７ａ，１７ｂ（かん足））にバンド４が取り付けられる。なお、本実施形態では、人工皮革のバンドを用いたが、これに限らず、天然皮革や合成樹脂等の非金属製のバンドでもよく、また。金属製バンドのバンドを用いてもよい。また、バンド取付部７を一対のかん突起部１７ａ，１７ｂ（かん足）に形成されたバンド取付穴１５にばね棒１６を挿入させて構成させたが、バンド４が取り付けられる構造であれば他の構造から構成されるものであってもよい。特に、金属製バンドのバンドを用いた場合は、人工皮革のバンド４を用いた場合とバンド取付部７の構成が異なるものとなる。
【００２９】
次に、図６〜図１０を用いて、腕時計１のケース取換方法について説明する。ここで、図６は本発明の一実施形態における腕時計のケース押圧板固定螺子を緩めている状態を示す図であり、図７は同腕時計のケース載置部から懐中時計を取り外している状態を示す図であり、図８は同腕時計のケース押圧板をケース押圧部移動孔に沿って内側方向に移動させている状態を示す図であり、図９は同腕時計のケース載置部に懐中時計を取り付けた状態を示す図であり、図１０は図３のＡ−Ａ断面図である。
【００３０】
まず、ケース取外工程が実施される。このケース取外工程では、ケース押圧板固定螺子１１が緩められることにより、ケース押圧板１０がケース押圧部移動孔９に沿って移動できるようになる（図６参照）。具体的には、ドライバー（図示略）を用いてケース押圧板固定螺子１１が緩められ（図６参照）、ケース押圧板１０をケース押圧部移動孔９に沿って外側方向に移動させる。これにより、ケース押圧板１０（ケース押圧部６）による懐中時計３の押圧が解かれ、ケース載置部５から懐中時計３を取り外すことができる（図７参照）。
【００３１】
次に、ケース取付工程が実施される。このケース取付工程では、ケース押圧板１０の先端内側が懐中時計３の側面に接するまで、ケース押圧板１０をケース押圧部移動孔９に沿って内側方向に移動させ（図８参照）、そして、ケース押圧板１０の先端内側が懐中時計３の側面に接するまで移動されると、ケース押圧板固定螺子１１が締め付けられることにより、ケース載置部５に載置された懐中時計３の側面が押圧される。このように、ケース押圧板１０によりケース載置部５上の懐中時計３の側面が押圧されるので、懐中時計３をケース載置部５上に固定させることができる（図９、図１０参照）。ここで、懐中時計３の側面が押圧される押圧ケース押圧部６は、ケース押圧板１０の先端部をケース載置部５に載置された懐中時計３の側面最外側部に略直行した押圧力が作用するようにして接触させている（図１０参照）。これにより、ケース押圧板１０の押圧力が懐中時計３に効率よく伝わり、ケース載置部５上の懐中時計３を安定して固定させることができる。
【００３２】
以上のように、ケース載置部５に載置された懐中時計３が側面から押圧されるケース押圧部１０が設けられているので、懐中時計３のようにかんが形成されていないケースであっても、ケース押圧部１０によりケース載置部５上に懐中時計３を固定させるとともに、バンド取付部７にバンド４を取り付けることにより、腕時計１として使用することができる。また、ケース押圧部１０は内外側方向に移動させることができるので、ケース押圧１０部を内外側方向に移動させ、ケース載置部５に載置された懐中時計３が側面から押圧されることにより、各種の大きさの異なる懐中時計３であっても、ケース押圧部１０によりケース載置部５上に懐中時計３を固定させることができる。
【００３３】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【符号の説明】
【００３４】
１      腕時計
２      ケース装着機器
３      懐中時計
４      バンド
５      ケース載置部
６      ケース押圧部
７      バンド取付部
８      中央部孔
９      ケース押圧部移動孔
１０    ケース押圧板
１１    ケース押圧板固定螺子
１２    ケース押圧部固定孔
１３    平行部
１４    円弧状部
１５    バンド取付穴
１６    ばね棒
１７    かん
１７ａ  かん突起部
１７ｂ  かん突起部
１８    管
１９    段付きピン
【要約】      （修正有）【課題】従来の腕時計では、かんが形成されていないケースには腕バンドを取り付けることができず、そのケースを腕時計として使用することができないという問題があった。【解決手段】本発明は、上部にケースが載置されるケース載置部５と、ケース載置部５の周側に複数個設けられ、内外側方向に移動されることにより、ケース載置部５に載置された懐中時計３（ケース）が側面から押圧されるケース押圧部と、バンドが取り付けられるバンド取付部と、を有し、ケース押圧部は、内外側方向に移動されることにより、各種の大きさの懐中時計３（ケース）をケース載置部５に固定させることができる。【選択図】図１【図１】
0006751219.tif 000002
【図２】
0006751219.tif 000003
【図３】
0006751219.tif 000004
【図４】
0006751219.tif 000005
【図５】
0006751219.tif 000006
【図６】
0006751219.tif 000007
【図７】
0006751219.tif 000008
【図８】
0006751219.tif 000009
【図９】
0006751219.tif 000010
【図１０】
0006751219.tif 000011
【図１１】
0006751219.tif 000012